(57)【要約】  本発明が開示するのは、ａ．第１の雄帯紐の少なくとも一方の側（１２）より突出した複数のフック状またはキノコ状素子（１１）を有する第１の雄帯紐（１）と；ｂ．ポリマー膜（２１）と、ポリマー膜（２１）に接合された紡糸結合式不織布（２２）と、を含む積層材料（２１、２２）により形成された第２の部材（２）と；を含み、不織布層（２２）が波形の断面形状を有する、剥離可能なメカニカルファスナー装置（１、２）である。【選択図】図２
2009540983.tif 000002
【特許請求の範囲】
【請求項１】
剥離可能なメカニカルファスナー装置であり、
ａ．  第１の雄帯紐の少なくとも一方の側（１２）より突出した複数のフック状またはキノコ状素子（１１）を有する前記第１の雄帯紐（１）と、
ｂ．  ポリマー膜（２１）と、前記ポリマー膜（２１）に結合された紡糸結合式不織布（２２）と、を含む積層材料（２１、２２）により形成された第２の部材（２）と、
を含む装置において、
前記不織布層（２２）が波形の断面形状を有することを特徴とする装置。
【請求項２】
前記不織布（２２）の前記波形形状の先端間のピッチが１．８ｍｍ〜３．５ｍｍである、請求項１に記載の剥離可能なメカニカルファスナー装置。
【請求項３】
前記波形形状の谷の深さが１．７ｍｍ〜４．５ｍｍである、請求項１または２に記載の剥離可能なメカニカルファスナー装置。
【請求項４】
前記不織布（２２）の繊維の細さが１．５デニール〜２．５デニールである、請求項１、２、または３に記載の剥離可能なメカニカルファスナー装置。
【請求項５】
前記積層材料（２１、２２）の基本総重量が２６ｇ／ｍ２〜５０ｇ／ｍ２である、請求項１〜４のうちのいずれか１項に記載の剥離可能なメカニカルファスナー装置。
【請求項６】
前記不織布層（２２）がポリプロピレンで形成されている、剥離可能なメカニカルファスナー装置。
【請求項７】
ＡＳＴＭ  Ｄ６７０１−０１規格に基づく少なくとも５００（ｇ  Ｈ２Ｏ／ｍ２）／２４  ｈの水蒸気透過性と、ＡＴＩＣＥＬＣＡ  ＭＣ  １８−７４及びＴＡＰＰＩ  Ｔ  ４６０  ｏｍ−８８規格に基づく１００ｍｉｎ／空気１００  ｃｃ未満の通気性を有することを特徴とする、請求項１〜６のうちのいずれか１項に記載の装置。
【請求項８】
前記ポリマー膜（２１）が、充填物を伴う、エラストマーおよび／またはオレフィンの混合物により形成される、請求項１〜７のうちのいずれか１項に記載の剥離可能なメカニカルファスナー装置。
【請求項９】
支持層の機能を有する積層材料（２１、２２）、を含み、特に幼児用おむつまたは尿漏れ防止パッドなどの、衣料品または個人的衛生用品であって、
前記層材料がポリマーベース膜（２１）と波形の不織布層（２２）とを含み、前記衣料品または個人的衛生用品が、複数のフック状またはキノコ状素子（１１）が前記帯紐（１）の少なくとも一方の側より突出している少なくとも１つの帯紐（１）、により形成される、剥離可能なメカニカルファスナー装置、を含み、
前記帯紐（１）が、前記波形不織布層（２２）と係合するよう適応されている、
衣料品または個人的衛生用品。
【請求項１０】
前記不織布（２２）の前記波形形状の先端間のピッチが１．８ｍｍ〜３．５ｍｍである、請求項９に記載の衣料品または個人的衛生用品。
【請求項１１】
前記波形形状の谷の深さが１．７ｍｍ〜４．５ｍｍである、請求項９または１０に記載の衣料品または個人的衛生用品。
【請求項１２】
前記不織布（２２）の繊維の細さが１．５デニール〜２．５デニールである、請求項９、１０または１１に記載の衣料品または個人的衛生用品。
【請求項１３】
前記積層材料が、ＡＳＴＭ  Ｄ６７０１−０１規格に基づく少なくとも５００（ｇ  Ｈ２Ｏ／ｍ２）／２４ｈの水蒸気透過性と、ＡＴＩＣＥＬＣＡ  ＭＣ  １８−７４及びＴＡＰＰＩ  Ｔ  ４６０  ｏｍ−８８規格に基づく１００ｍｉｎ／空気１００  ｃｃ未満の通気性を有する、請求項９〜１２のうちのいずれか１項に記載の衣料品または個人的衛生用品。
【請求項１４】
前記積層材料（２１、２２）の基本総重量が２６ｇ／ｍ２〜５０ｇ／ｍ２である、請求項９〜１３のうちのいずれか１項に記載の衣料品または個人的衛生用品。
【請求項１５】
前記ポリマーベース膜（２１）が、充填物を伴う、オレフィンベース材料および／またはエラストマーベース材料である、請求項９〜１４のうちのいずれか１項に記載の衣料品または個人的衛生用品。
【発明の詳細な説明】
【技術分野】
【０００１】
本書に開示するのは、２つの帯紐（ｓｔｒａｐ）等の２つの素子を含み、合わせて押圧することで相互に係合させることができ、引き剥がす動作により剥離することができる、剥離可能なメカニカルファスナー装置である。
【０００２】
以下に開示する装置は、例えば、衣料品や、幼児用おむつや尿漏れ防止パッド等の個人的衛生用品の分野に適用されている。
【背景技術】
【０００３】
ファスナー装置は、当業界においてはＶｅｌｃｒｏ（登録商標）やＭｉｃｒｏｐｌａｓｔ（登録商標）といった商標名で利用可能であり、これは、相互に係合するための、全般的および／または実質的にフック状またはキノコ状の素子を担持する雄部材と、全般的および／または実質的にループ状の素子を担持する雌部材とを含む。
【０００４】
雌帯紐は、特に、係合を容易にするための、特定の繊維配列をもつ不織布を支持膜に着設することにより形成されていることが、知られている。
【０００５】
それにも関わらず、雌帯紐を、雄帯紐のフック素子を係合する方法として利用することには、難点がいくつかある。
【０００６】
先行技術による、衣料品や、おむつや尿漏れ防止パッド等の個人的衛生用品は、衣料品または個人的衛生用品の所定の位置に、適切なサイズの支持の上に配置された雌材料を使用する必要があり、この配置は特定の製作段階で行われる。
【０００７】
こうした側面は、最終製品の製作と、その関連コストにかなりの影響を与える。
【発明の開示】
【０００８】
当方のシステムは、上記の問題となる側面を克服し、相当のコスト削減という要件を満足させるのに加えて、操作と使用の両方の点で柔軟性を与える。
【０００９】
本発明の雌材料は、限定されておらず、また適用されてもいないが、本装置の支持・作用面を占め、これを成している。このような面を実際に形成しているのは、雌材料なのである。
【００１０】
そのため、新規のファスナーシステムを以下に詳述することにしよう。これは、メカニカルな継合部分全体にわたって製品の一体性を保つのに、補強部分を必要としない。
【００１１】
さらに、本発明の、上述のような雄材料を雌材料と直接係合すると、かなりの裂断耐性を与えるとともに、その固定効果を減じることなしにファスナー装置を何度も開閉する可能性をもたらすため、ファスナー装置は変わらない状態にとどまる。
【００１２】
そうした訳で、本発明は、先行技術の問題点の少なくとも一部、特に上記で明確にした点を取除く、という目的を満足させる。
【００１３】
本目的は、請求項１の特徴によるファスナー装置により、また請求項９の特徴による衣料品により、満足される。
【００１４】
従属請求項の付加的な特徴により、さらなる利点が得られることもある。
【００１５】
では、以下の添付の図面を参照しながら、本発明について説明してゆくことにしよう。
【発明を実施するための最良の形態】
【００１６】
添付図面を参照すると、剥離可能なメカニカルファスナー装置は、複数のフック状素子１１が少なくとも一方の側１２より突出している第１の雄帯紐を含む。
【００１７】
フック状素子１１は、従来の形態及びサイズを備えたものであってもよい。
【００１８】
第２の部材２（雌帯紐）がさらに配され、これは、ポリマーベース膜２１と、ポリマー膜２１に着設される不織布層２２、好ましくは紡糸結合式不織布、とを含む積層材料２１、２２である。
【００１９】
不織布２２とポリマーベース膜２１とは、低温溶融および／または高温溶融の接着剤、ヒートシール、超音波をもちいて結合してもよい。
【００２０】
不織布２２と膜２１とを結合する方法は従来の方法であるため、これ以上は説明しない。
【００２１】
第２の帯紐の不織布２２は、波形の断面形状を有するという特異な特性をもつ。
【００２２】
望ましい実施形態では、この波形形状は、帯紐１の長手方向に直交して直線的に伸びている。
【００２３】
この波形の断面形状は、例えば、本発明の出願人による米国６，４９９，６４０  Ｂ２に開示されているような装置を用いて得ることもできる。
【００２４】
こうして、波形形状は雌部材に弾性を加えることで、製品にさらに良好な適用性を与え、さらに、掛着の係合を支援し、閉鎖効果を促進することにより、（特に衣料品及びおむつで）雄帯紐を剥がす力として働きがちな接線分力を相殺する。
【００２５】
波形形状は、先端間のピッチが約１．８ｍｍ〜３．５ｍｍ、また谷の深さが１．７ｍｍ〜４．５ｍｍであることが好ましい。
【００２６】
第２の“帯紐”２の基本総重量は、２６ｇ／ｍ２〜５０ｇ／ｍ２であることが好ましい。
【００２７】
第２の“帯紐”２の基本重量は、３５ｇ／ｍ２〜４５ｇ／ｍ２であることが、さらに好ましい。
【００２８】
可能な実施形態では、積層材料は、Ｄ６７０１−０１規格に基づく少なくとも５００（ｇ  Ｈ２Ｏ／ｍ２）／２４ｈの水蒸気透過性と、ＡＴＩＣＥＬＣＡ  ＭＣ  １８−７４及びＴＡＰＰＩ  Ｔ  ４６０  ｏｍ−８８規格に基づく１００ｍｉｎ／空気１００  ｃｃ未満の通気性を有する。
【００２９】
（第２の帯紐の）膜２１は、本発明の出願人が欧州−Ｂ１，２２６，０１３で開示しているようなもの等、充填物を伴う、オレフィンベース材料か、あるいは本発明の出願人がＷＯ−２００５／０５１６３５で開示しているような、充填物を伴う、オレフィンベース材料またはエラストマーベース材料を有していてもよい。
【００３０】
本解決策は、第２の部材に高度の弾性を与え、積層材料が裂断する危険を減じるため、特に興味深い。
【００３１】
紡糸結合式不織布帯紐２２は、伝統的な触媒またはメタロセン触媒により生成されるポリプロピレンにより形成してもよい。
【００３２】
例えば、この不織布を、Ｉｎｎｏｖｅｎｅ社が１００−ＺＡ２５及び１００−ＺＡ３５として現在販売しているポリプロピレンや、あるいはＢＡＳＥＬＬ社がＨＰ６５１Ｓ及びＨＭ５６２Ｓとして現在販売しており、ＢＲＥＡＬＩＳ社がＨＦ４２０ＦＢ，ＨＧ４２０ＦＢ，ＨＧ４５５ＦＢ，ＨＨ４２０ＦＢ及びＨＨ４５０ＦＢとして最終的に販売しているポリプロピレンや、あるいは同様の特性をもつポリプロピレン（ＭＦＲｓが２５ｇ／１０分〜３５ｇ／１０分で、融点が１６０°Ｃ〜１６５°Ｃのポリプロピレン・ホモポリマー）により生成してもよい。
【００３３】
不織布の繊維の細さは、１．５〜２．５デニールであることが好ましい。
【００３４】
（ポリマーベース膜２１と波形不織布層２２とを含む）上記の積層材料２１、２２を、衣料品や個人的衛生用品の形成材料として直接使ってもよい。
【００３５】
例えば、幼児用おむつや尿漏れ防止パッドで、積層材料２１、２２により、吸収材料用の支持層を形成してもよい。
【００３６】
この場合、製品表面が、雌部材の役割を果たし、雄帯紐１のフック状またはキノコ状素子１１の係合のためのベースとして働くよう適応されるため、製品に使用する必要があるのは雄帯紐１のみである。
【００３７】
この場合、積層材料が上記の通気性及び水蒸気透過性を備えているのであれば、言うまでもなく好ましい。
【００３８】
衣料品または個人的衛生用品では、ポリマー膜２１をエラストマーおよび／またはオレフィンの混合物で形成した支持構造を使用すると、ファスナー装置の調整が改善されるため、とりわけ好都合である。
【図面の簡単な説明】
【００３９】
【図１】ファスナー装置の雌面の横断面図である。
【図２】雌帯紐と係合される雄帯紐の拡大詳細図である。
【図３】雄側の帯紐状部材をともなうファスナー装置の斜視図で、これにおいて、雌部材は仕上がり品の支持層を成している。
【図１】
2009540983.tif 000003
【図２】
2009540983.tif 000004
【図３】
2009540983.tif 000005
【国際調査報告】
2009540983.tif 000006
2009540983.tif 000007